(57)【特許請求の範囲】
【請求項１】
略箱型に形成された筐体と、
前記筐体の上面側を磁気カードの厚さより僅かに広い幅をもって直線状に横切るように形成されたスリットと、
基板と、該基板の上面側に磁気カードの厚さより僅かに広い間隔をもって互いに対向するように立設された一対のガイド板とを有し、該一対のガイド板間の隙間が前記スリットと一致するように前記筐体内に配置された合成樹脂からなるベースと、
前記ベースのガイド板に取り付けられ、前記一対のガイド板の間を通過する磁気カードの磁気記録面に接触して磁気情報を読み取る磁気ヘッドとを有する磁気カードリーダにおいて、
前記スリットの下方位置で前記筐体の底部に固定された第１の板部と、該第１の板部と連続し、前記ベースのガイド板に対向する筐体内壁に固定された第２の板部とを有する金属製の補強部材を備え、
前記補強部材の第１の板部の上面に前記ベースの基板が固定されていることを特徴とする磁気カードリーダ。
【発明の詳細な説明】
【０００１】
【発明の属する技術分野】
本発明は、手動型の磁気カードリーダの磁気雑音による誤動作および落下等による損傷を防ぐための技術に関する。
【０００２】
【従来の技術】
【０００３】
磁気カードに記録されている情報を読み取る磁気カードリーダのうち、特に読取専用のシステムに使用される磁気カードリーダでは、構成が簡単になることから、人の操作でスライド移動させた磁気カードから磁気情報を読み取る手動型のものが従来から利用されている。
【０００４】
図８、図９は、従来の手動型の磁気カードリーダ１０の構成を示すものであり、合成樹脂からなる筐体１１には、磁気カード１の厚さより僅かに広い幅のスリット１２が一方の側面から他方の側面まで連続するように一直線状に形成されている。
【０００５】
筐体１０の内部には、リーダユニット１３が固定されている。リーダユニット１３は、合成樹脂で形成されたベース１４とベース１４に取り付けられた磁気ヘッド１８とによって構成されている。
【０００６】
ベース１４は、略矩形の基板１５と、基板１５の上面側に磁気カード１の厚さより僅かに広い間隔をもって互いに対向するように平行に立設された一対のガイド板１６、１７とからなり、この一対のガイド板１６、１７の隙間が筐体１１のスリット１２と一致し、スリット１２に沿ってスライドさせた磁気カード１が、その一辺を基板１５の上面に接した状態でガイド板１６、１７の間を通過させるように筐体１０の底部に固定されている。
【０００７】
ガイド板１６、１７の少なくとも一方（ここではガイド板１６）には、磁気ヘッド１８が、そのヘッド面１８ａをガイド板１６、１７の隙間を通過する磁気カード１の表面の磁気ストライプ（図示せず）に接するように突出させた状態で取り付けられている。
【０００８】
このように構成された磁気カードリーダ１０では、スリット１２に差し込まれた磁気カード１をリーダユニット１３のガイド板１６、１７の間でガイドしながらスライド移動させ、その磁気カード１に記録されている磁気情報を磁気ヘッド１８によって読み取り、この読取信号を図示しない波形整形回路等を含む回路部へ出力する。
【０００９】
【発明が解決しようとする課題】
しかしながら、磁気カードリーダ１０のスリット１２およびリーダユニット１３は、筐体１１の一端側に設けることが多いため、外部からの磁気雑音の影響を受けやすく、モータ等を用いた機器を近接させることができないという問題があった。
【００１０】
また、前記した従来の磁気カードリーダ１０では、合成樹脂からなる筐体１１がスリット１２によって底部を残して２分される構造で、しかも、リーダユニット１３のベース１４も合成樹脂であるので、落下時等の衝撃によって、スリット１２に沿った筐体１１の割れやリーダユニット１３の変形等の障害が発生しやすいという問題があった。
【００１１】
本発明は、この問題を解決し、外部から磁気雑音の影響を受けにくく、落下時等の障害が発生しにくい磁気カードリーダを提供することを目的としている。
【００１２】
【課題を解決するための手段】
前記目的を達成するために、本発明の磁気カードリーダは、
略箱型に形成された筐体と、
前記筐体の上面側を磁気カードの厚さより僅かに広い幅をもって直線状に横切るように形成されたスリットと、
基板と、該基板の上面側に磁気カードの厚さより僅かに広い間隔をもって互いに対向するように立設された一対のガイド板とを有し、該一対のガイド板間の隙間が前記スリットと一致するように前記筐体内に配置された合成樹脂からなるベースと、
前記ベースのガイド板に取り付けられ、前記一対のガイド板の間を通過する磁気カードの磁気記録面に接触して磁気情報を読み取る磁気ヘッドとを有する磁気カードリーダにおいて、
前記スリットの下方位置で前記筐体の底板に固定された第１の板部と、該第１の板部と連続し、前記ベースのガイド板に対向する筐体内壁に固定された第２の板部とを有する金属製の補強部材を備え、
前記補強部材の第１の板部の上面に前記ベースの基板が固定されていることを特徴としている。
【００１３】
【発明の実施の形態】
以下、図面に基づいて本発明の実施の形態を説明する。図１〜図４は、本発明の磁気カードリーダを備えたハンディターミナル２０を示している。
【００１４】
図１、図２に示しているように、このハンディターミナル２０は、本体部２１と、本体部２１の一端側に固定されたプリンタ部５０からなり、全体として片手で持って操作できる程度の大きさの縦長矩形に構成されている。
【００１５】
本体部２１は、上面側が開口され外形が縦長矩形で浅底箱型の下ケース２２と、この下ケース２２の上面を塞ぐ上ケース２３とによって覆われており、上ケース２３の表面には、各種情報を表示するための表示器２４、複数の操作キー２５が設けられている。この下ケース２２と上ケース２３は、ハンディターミナル２０の筐体の一部を形成するとともに、このハンディターミナル２０に備えられた磁気カードリーダの筐体を形成している。
【００１６】
また、本体部２１の前端側には、磁気カードの厚さより僅かに広い幅をもって筐体の上面側を横切る、即ち、一方の側面から上ケース２３を横切り他方の側面まで連続するスリット２６が形成されている。
【００１７】
スリット２６の下方には、リーダユニット３０が配置されている。リーダユニット３０は、図３、図４に示すように、合成樹脂で形成されたベース３１と、ベース３１に取り付けられた磁気ヘッド３６、３７と、補強部材４０とによって構成されている。
【００１８】
ベース３１は、横長略矩形の基板３２と、基板３２の中央部分から磁気カードの厚さより僅かに広い間隔をもって互いに対向するように平行に立設された一対のガイド板３３、３４とからなり、基板３２の四隅にはネジ穴３５が設けられている。
【００１９】
また、ガイド板３３、３４（いずれか一方でもよい）には、磁気ヘッド３６、３７が、そのヘッド面３６ａ、３７ａをガイド板３３、３４の隙間を通過する磁気カードの表面の磁気記録面に接するように突出させた状態で取り付けられている。
【００２０】
ベース３１の基板３２の下面側には、補強部材４０が配置されている。補強部材４０は、金属（例えばアルミニウム、ステンレス、鉄等）の板からなり、基板３２とほぼ同一外形の略矩形状に形成された第１の板部４１と、第１の板部４１の縁からほぼ９０度の角度をなすように延びた第２の板部４２とによってＬ字状に屈曲形成されている。
【００２１】
補強部材４０の第１の板部４１の四隅には、ベース３１の基板３２に設けられたネジ穴３５と一致するネジ穴４３が設けられている。また、第２の板部４２には、上ケース２３と下ケース２２との間の固定するとともに、プリンタ部５０を取り付けるためのネジ穴４４が設けられている。
【００２２】
この補強板４０は、第１の板部４１がベース３１の基板３２と重なり合い、第２の板部４２がガイド板３３に対向した状態で、ベース３１と一体的に固定されており、リーダユニット３０は、互いに一致したベース３１のネジ穴３５と補強板４０のネジ穴４３を通り下ケース２２に立設されたボス２７に締付けられたネジ４５によって、ベース３１の一対のガイド板３３、３４の隙間がスリット２６と一致し、スリット２６に沿ってスライドさせた磁気カードが、その一辺を基板３２の上面に接しながらガイド板３３、３４の間を通過する位置で下ケース２２に固定されている。
【００２３】
また、補強板４０の第２の板部４２は、リーダユニット３０が下ケース２２に固定された状態で下ケース２２の前板２２ａおよび上ケース２３の前板２３ａのの内壁に接した状態となり、これら前板２２ａ、２３ａには、第２の板部４２に設けられたネジ穴４４と一致するネジ穴２８、２９が設けられている。
【００２４】
一方、本体部２１の端に固定されたプリンタ部５０は、下ケース５１およびプリンタカバー５８によって覆われている。
【００２５】
プリンタ部５０の下ケース５１は、図３に示しているように、本体部２１の下ケース２２と同一幅で所定長連続するように形成されており、その後端側には本体部２１の下ケース２２の前板２２ａおよび上ケース２３の前板２３ａと重なり合う後板５２が立設されている。
【００２６】
後板５２には、本体部２１の下ケース２２の前板２２ａおよび上ケース２３の前板２３ａに設けられたネジ穴２８、２９と一致するネジ穴５３、５４が設けられており、プリンタ部５０の下ケース５１は、このネジ穴５３、５４および本体部２１のネジ穴２８、２９を通して補強部材４０の第２の板部４２に締め付けられたネジ５５によって本体部２１に固定されている。
【００２７】
下ケース５１の前端側には、前板５６が後板５２と対向するように立設されており、この前板５６には、外部から用紙を受け入れて後述するプリンタユニット６０に案内する用紙挿入口５７が設けられている。
【００２８】
下ケース５１の上面側を覆っているプリンタカバー５８には、印字した用紙を排出するための排紙口５９が設けられている。
【００２９】
下ケース５１内にはプリンタユニット６０が固定されている。このプリンタユニット６０は、感熱紙に熱を加えて印字するサーマル型のものであり、用紙挿入口５７から差し込まれた用紙をモータ６１の回転駆動によって引込みながら印字し、印字した用紙を排紙口５９から排出する。
【００３０】
このように構成されたハンディターミナル２０の磁気カード読取部分は、金属からなる補強部材４０の第１の板部４１が、スリット２６の下方位置で下ケース２２の底部に固定され、この第１の板部４１と連続する第２の板部４２が、ベース３１のガイド板３３に対向する筐体内壁に固定されており、ベース３１の基板３２が第１の板部４１の上面に固定されている。
【００３１】
このため、補強部材４０の第２の板部４１が、本体部２１とプリンタ部５０の間を仕切るので、プリンタ部５０のモータ５１と磁気ヘッド３６、３７との間が磁気的に遮蔽され、モータ５１が発生する磁気雑音による磁気ヘッド３６、３７への影響を防ぐことができる。
【００３２】
また、スリット２６の下部と筐体の前端側との剛性が格段に高くなり、例えば、落下等による衝撃を受けても、スリット２６近傍の変形を阻止することができ、ケース割れやリーダユニット３０の変形等の障害が発生しない。
【００３３】
また、金属製の補強部材４０の第２の板部４１を本体部２１の下ケース２２と上ケース２３の前板の内壁に接するように配置し、外部からネジ止めできるようにしているので、下ケース２２と上ケース２３の間の固定および本体部２１と他のユニット（この例ではプリンタ部５０）との間の固定を堅固に行うことができる。
【００３４】
なお、このハンディターミナル２０では、磁気カード読取部にプリンタ部５０が近接して設けられていたが、図５に示すように、プリンタ部５０を設けない場合には、下ケース２２の前板２２ａのネジ２８および上ケース２３の前板２３ａのネジ穴２９からネジ５５を締め付けるようにすればよい。この場合でも、本体部２１の前端側からの磁気雑音を補強部材４０によって遮蔽することができ、磁気雑音を発生する他の機器が近づいても、磁気カードの読み取りを確実に行える。
【００３５】
また、この実施形態では、ハンディターミナル２０の磁気カード読取部に本発明を適用したが、単独の磁気カードリーダにも本発明を同様に適用できる。
【００３６】
この場合、例えば、図６、図７に示す磁気カードリーダ７０のように、第２の板部４２と対向する第３の板部４６を設けて補強部材４０′をＵ字状に形成すれば、下ケース７１に対して上ケース７２を堅固に固定することができ、前記同様に、落下等の衝撃によるケース割れやリーダユニット３０の変形等の障害が発生しない。また、筐体の両側からの磁気雑音を遮蔽することができる。
【００３７】
【発明の効果】
以上説明したように、本発明の磁気カードリーダは、
略箱型に形成された筐体と、
前記筐体の上面側を磁気カードの厚さより僅かに広い幅をもって直線状に横切るように形成されたスリットと、
基板と、該基板の上面側に磁気カードの厚さより僅かに広い間隔をもって互いに対向するように立設された一対のガイド板とを有し、該一対のガイド板間の隙間が前記スリットと一致するように前記筐体内に配置された合成樹脂からなるベースと、
前記ベースのガイド板に取り付けられ、前記一対のガイド板の間を通過する磁気カードの磁気記録面に接触して磁気情報を読み取る磁気ヘッドとを有する磁気カードリーダにおいて、
前記スリットの下方位置で前記筐体の底板に固定された第１の板部と、該第１の板部と連続し、前記ベースのガイド板に対向する筐体内壁に固定された第２の板部とを有する金属製の補強部材を備え、
前記補強部材の第１の板部の上面に前記ベースの基板が固定されていることを特徴としている。
【００３８】
このため、補強部材の第２の板部は、ガイド板に対向する筐体の内壁に接するように固定され、筐体の外側と磁気ヘッドとの間を遮蔽しているので、外部からの磁気雑音による磁気ヘッドへの影響を防ぐことができる。
【００３９】
また、スリットの下部と筐体の端との剛性が格段に高くなり、落下等による衝撃を受けても、スリット近傍の変形を阻止することができ、ケース割れやベースの変形等の障害が発生しない。
【図面の簡単な説明】
【図１】本発明を適用したハンディターミナルの平面図
【図２】ハンディターミナルの側面図
【図３】要部の拡大平面図
【図４】図３のＢ−Ｂ線断面図
【図５】プリンタ部を持たない場合の要部の断面図
【図６】磁気カードリーダ単独の平面図
【図７】図６のＣ−Ｃ線断面図
【図８】従来装置の平面図
【図９】図８のＡ−Ａ線拡大断面図
【符号の説明】
１  磁気カード
２０  ハンディターミナル
２１  本体部
２２  下ケース
２３  上ケース
２４  表示器
２５  操作キー
２６  スリット
２７  ボス
２８、２９  ネジ穴
３０  リーダユニット
３１  ベース
３２  基板
３３、３４  ガイド板
３５  ネジ穴
３６、３７  磁気ヘッド
４０、４０′  補強部材
４１  第１の板部
４２  第２の板部
４３、４４  ネジ穴
４５  ネジ
４６  第３の板部
５０  プリンタ部
５１  下ケース
５２  後板
５３、５４  ネジ穴
５５  ネジ
５６  前板
５７  用紙挿入口
５８  プリンタカバー
５９  排紙口
６０  プリンタ
６１  モータ
【図１】
0004327332.tif 000002
【図２】
0004327332.tif 000003
【図３】
0004327332.tif 000004
【図４】
0004327332.tif 000005
【図５】
0004327332.tif 000006
【図６】
0004327332.tif 000007
【図７】
0004327332.tif 000008
【図８】
0004327332.tif 000009
【図９】
0004327332.tif 000010